(57)【要約】  【課題】  受信側ファクシミリ装置で受信者リストが変更されても、送信側ファクシミリ装置から親展文書として送信された送信データを各受信者が親展文書として入手可能なファクシミリ装置及び親展文書通信システムを提供する。  【解決手段】  受信側ファクシミリ装置に設定される親展ボックスコードに基づいて親展文書を送信する親展文書送信手段２２を備えたファクシミリ装置であって、受信側ファクシミリ装置に対して、親展ボックスコードまたは親展ボックスコードに対応するアドレス情報と、それらの何れかに対応付けられた受信者情報を含む受信者リストを要求する受信者リスト要求手段２３と、要求に応答して受信側ファクシミリ装置から返信された受信者リストに基づいて表示された受信者情報から送信先受信者を指定する受信者指定手段２４と、指定された受信者に対応する親展ボックスに親展文書を送信する文書送信手段２５を備える。【選択図】  図１
2007096906.tif 000002
【特許請求の範囲】
【請求項１】
受信側ファクシミリ装置に設定される親展ボックスコードに基づいて親展文書を送信する親展文書送信手段を備えたファクシミリ装置であって、
前記受信側ファクシミリ装置に対して、親展ボックスコードまたは親展ボックスコードに対応するアドレス情報と、それらの何れかに対応付けられた受信者情報を含む受信者リストを要求する受信者リスト要求手段と、要求に応答して前記受信側ファクシミリ装置から返信された受信者リストに基づいて表示された受信者情報から送信先受信者を指定する受信者指定手段と、指定された受信者に対応する親展ボックスに親展文書を送信する文書送信手段とを備えて構成されるファクシミリ装置。
【請求項２】
前記受信者リスト要求手段は、前記受信側ファクシミリに対して電子メールにより前記受信者リストを要求し、前記受信側ファクシミリから電子メールで返信された前記受信者リストを受信する電子メール制御手段で構成されている請求項１記載のファクシミリ装置。
【請求項３】
前記アドレス情報が電子メールアドレスで構成され、前記文書送信手段は、指定された受信者の電子メールアドレスに親展文書を電子メールで送信する請求項１または２記載のファクシミリ装置。
【請求項４】
前記受信者リスト要求手段は、予め設定された時刻に前記受信者リストを要求する請求項１から３の何れかに記載のファクシミリ装置。
【請求項５】
親展ボックスコードまたは親展ボックスコードに対応するアドレス情報と、それらの何れかに対応付けられた受信者情報を含む受信者リストを記憶する受信者リスト記憶手段と、送信側ファクシミリから送信された親展文書を受信し、前記受信者リストに基づいて対応する親展ボックスに格納する親展文書受信手段を備えたファクシミリ装置であって、
送信側ファクシミリ装置からの要求に基づいて前記受信者リストを返信する受信者リスト送信手段を備えて構成されるファクシミリ装置。
【請求項６】
請求項１から４の何れかに記載のファクシミリ装置と、請求項５記載のファクシミリ装置で構成される親展文書通信システム。
【発明の詳細な説明】
【技術分野】
【０００１】
本発明は、受信側ファクシミリ装置に設定される親展ボックスコードに基づいて親展文書を送信する親展文書送信手段を備えたファクシミリ装置に関する。
【背景技術】
【０００２】
従来より、郵便の親展と同じように、親展文書として送信した文書データを特定の人のみが親展文書として入手することが可能な親展文書通信システム、及び、前記親展文書通信システムに対応したファクシミリ装置が提案されている。前記親展文書通信システムは、送信側ファクシミリ装置に、受信側ファクシミリ装置へ送信する文書データに予め設定された親展ボックスコードを付加して送信する親展文書送信手段を備えるとともに、前記受信側ファクシミリ装置に、送信されてきた前記予め設定された親展ボックスコードが添付された文書データを所定の親展ボックスへ格納する親展文書受信手段を備え、前記親展ボックスに対応したＩＤコードを割り当てられた特定の受信者が、前記受信側ファクシミリ装置へ前記ＩＤコードを入力したときに、前記受信側ファクシミリ装置から親展ボックスに格納されている文書データに基づいた文書が印字出力されるように構成されている。つまり、ＩＤコードを割り当てられた特定の受信者は、前記送信されてきた文書データを親展文書として入手することができるように構成されている。また、前記受信側ファクシミリ装置に、それぞれ異なるボックスコードが割り当てられた複数の親展ボックスを備え、前記各親展ボックスに対応して受信者毎に前記ＩＤコードを割り当てた受信側受信者リストを予め登録しておくことで、前記ＩＤコードを割り当てられた各受信者が、それぞれ個別に特定の文書データを親展文書として入手することが可能なように構成されている。
【特許文献１】特開平５−３１６３７４号公報
【発明の開示】
【発明が解決しようとする課題】
【０００３】
しかし、上述した従来技術では、受信側ファクシミリ装置で前記ＩＤコードを割り当てられた各受信者が、前記各受信者に宛てた文書を入手するためには、前記送信側ファクシミリ装置において、前記各親展ボックスに前記各特定の受信者を割り付けた送信側受信者リストを、前記受信側受信者リストと整合するように予め登録しておく必要があった。つまり、例えば、前記受信側ファクシミリ装置で予め登録されていた受信側受信者リストが変更されているにもかかわらず、送信側ファクシミリ装置において、前記送信側受信者リストが変更されていないときには、送信宛となった特定の受信者とは異なる受信者が、送信されてきた文書データを出力入手してしまい、前記送信宛となった特定の受信者が前記文書データを親展文書として入手できなくなる可能性があり問題となっていた。
【０００４】
本発明は、上述の問題点に鑑み、受信側ファクシミリ装置で受信者リストが変更されても、送信側ファクシミリ装置から親展文書として送信された送信データを各受信者が親展文書として入手可能なファクシミリ装置及び親展文書通信システムを提供する点にある。
【課題を解決するための手段】
【０００５】
上述の目的を達成するため、本発明によるファクシミリ装置の第一の特徴構成は、特許請求の範囲の書類の請求項１に記載した通り、受信側ファクシミリ装置に設定される親展ボックスコードに基づいて親展文書を送信する親展文書送信手段を備えたファクシミリ装置であって、前記受信側ファクシミリ装置に対して、親展ボックスコードまたは親展ボックスコードに対応するアドレス情報と、それらの何れかに対応付けられた受信者情報を含む受信者リストを要求する受信者リスト要求手段と、要求に応答して前記受信側ファクシミリ装置から返信された受信者リストに基づいて表示された受信者情報から送信先受信者を指定する受信者指定手段と、指定された受信者に対応する親展ボックスに親展文書を送信する文書送信手段とを備えて構成される点にある。
【０００６】
上述の構成によれば、受信者リスト要求手段が受信側ファクシミリ装置から受信者リストを要求し、受信者指定手段が前記受信側ファクシミリ装置から返信された受信者リストに基づいて表示された受信者情報から送信先受信者を指定し、文書送信手段が前記指定された受信者に対応する親展ボックスに親展文書を送信するため、前記受信側ファクシミリ装置において予め登録されていた受信者リストが変更されていても、変更後の新たな受信者リストを参照して親展文書を送信できるため、適切に送信先となる特定の受信者に前記親展文書を送信することができるのである。
同第二の特徴構成は、同請求項２に記載した通り、上述の第一の特徴構成に加えて、前記受信者リスト要求手段は、前記受信側ファクシミリに対して電子メールにより前記受信者リストを要求し、前記受信側ファクシミリから電子メールで返信された前記受信者リストを受信する電子メール制御手段で構成されている点にあり、より簡易に受信者リストを送受信することができるのである。
同第三の特徴構成は、同請求項３に記載した通り、上述の第一または第二の特徴構成に加えて、前記アドレス情報が電子メールアドレスで構成され、前記文書送信手段は、指定された受信者の電子メールアドレスに親展文書を電子メールで送信する点にあり、より簡易に親展文書を送受信することができるのである。
同第四の特徴構成は、同請求項４に記載した通り、上述の第一から第三の何れかの特徴構成に加えて、前記受信者リスト要求手段は、予め設定された時刻に前記受信者リストを要求する点にあり、前記受信側ファクシミリ装置において予め登録されていた受信者リストが変更されても、変更後の新たな受信者リストを適切に参照することが可能となるのである。
同第五の特徴構成は、同請求項５に記載した通り、親展ボックスコードまたは親展ボックスコードに対応するアドレス情報と、それらの何れかに対応付けられた受信者情報を含む受信者リストを記憶する受信者リスト記憶手段と、送信側ファクシミリから送信された親展文書を受信し、前記受信者リストに基づいて対応する親展ボックスに格納する親展文書受信手段を備えたファクシミリ装置であって、送信側ファクシミリ装置からの要求に基づいて前記受信者リストを返信する受信者リスト送信手段を備えて構成される点にあり、受信者リストを返信することができるのである。
上述の目的を達成するため、本発明による親展文書通信システムの第一の特徴構成は、同請求項２に記載した通り、上述の第一から第四の何れかの特徴構成のファクシミリ装置と、上述の第五のファクシミリ装置で構成される点にある。
【０００７】
上述の構成とすることにより、送信側ファクシミリ装置から受信側ファクシミリ装置に送信した文書を、送信側ファクシミリ装置で指定した送信先受信者が、前記文書を適切に親展文書として入手することができるのである。
【発明の効果】
【０００８】
以上説明した通り、本発明によれば、受信側ファクシミリ装置で受信者リストが変更されても、送信側ファクシミリ装置から親展文書として送信された送信データを各受信者が親展文書として入手可能なファクシミリ装置及び親展文書通信システムを提供することができるようになった。
【発明を実施するための最良の形態】
【０００９】
以下、本発明の親展文書通信システムの実施形態について説明する。前記親展文書通信システムは、図２に示すように、それぞれが送信側ファクシミリ装置Ｆｔまたは受信側ファクシミリ装置Ｆｒとなる複数のファクシミリ装置１０Ａ、１０Ｂ、１０Ｃが電話回線１１及びＬＡＮ１２によって接続されている。また、前記ＬＡＮ１２には、複数の情報端末装置０９Ａ、０９Ｂ、０９Ｃが接続されている。  
【００１０】
前記親展文書通信システムの概略は、送信者が前記各ファクシミリ装置１０Ａ、１０Ｂ、１０Ｃの何れか、例えば、前記ファクシミリ装置１０Ａを送信側ファクシミリ装置Ｆｔとし、他のファクシミリ装置、例えば、前記ファクシミリ装置１０Ｂを受信側ファクシミリ装置Ｆｒとして、所定の文書データの送受信を行う際に、前記送信側ファクシミリ装置Ｆｔにおいて、前記受信側ファクシミリ装置Ｆｒから前記文書データに基づいた文書を印字出力することができる特定の受信者を指定するとともに、前記受信側ファクシミリ装置Ｆｒにおいて、前記送信側ファクシミリ装置Ｆｔで指定された特定の受信者のみが前記文書データに基づいた文書を印字出力することができるように構成されている。つまり、詳細は後述するが、前記親展文書通信システムでは、図３に示すように、前記各ファクシミリ装置１０Ａ、１０Ｂ、１０Ｃに、送信側ファクシミリ装置Ｆｔとして、送信する文書データＤａに親展ボックスコードを付加した親展文書データＤｓを送信する親展文書送信手段２２を備え、また、受信側ファクシミリ装置Ｆｒとして、それぞれに親展ボックスコードとＩＤコードが予め割り付けられた複数の親展ボックスＢｘ１、Ｂｘ２、Ｂｘ３を備え、送信されてくる前記親展文書データＤｓを、付加されている親展ボックスコードに対応した前記親展ボックス、例えば、前記親展ボックスＢｘ２に記憶するとともに、前記親展ボックスＢｘ２に対応したＩＤコードが入力されたときにのみ、前記親展ボックスＢｘ２に記憶された前記親展文書データＤｓに基づいた文書Ｂａを印字出力するように構成されている。
【００１１】
また、図４に示すように、受信側ファクシミリ装置Ｆｒにおいて、詳細は後述するが、送信側ファクシミリ装置Ｆｔから送信される文書データＤａの受信先が、受信情報端末装置Ｐｒとして、前記各情報端末装置０９Ａ、０９Ｂ、０９Ｃの何れかが設定されていたときには、前記ＬＡＮ１２を介して前記情報端末装置Ｐｒに前記文書データＤａが電子メールで、つまり、親展文書データＤｓとして転送されるように構成されている。つまり、前記電子メールを閲覧可能な特定の受信者のみが前記文書データＤａを取り扱うことができるように構成されている。
【００１２】
尚、本実施形態では、前記各ファクシミリ装置１０Ａ、１０Ｂ、１０Ｃは、同一構成となっているため、以下、ファクシミリ装置の詳細については、前記ファクシミリ装置１０Ａについてのみ説明する。
前記親展文書通信システムにおける前記電話回線１０を用いた通信プロトコル（伝送手順）は、図５に示すようなＩＴＵ−Ｔによって標準化されているバイナリー伝送制御手順に基づいている。ここで、ＣＥＤはファクシミリ回線が接続されたときに着信側から送信側へ受信状態になったことを知らせる信号である。ＮＳＦとＣＳＩとＤＩＳは送信側へ着信側ファクシミリ装置の機能を知らせる信号である。ＮＳＳは送信側から着信側へどのような送信条件で送信するかを知らせる信号である。モデムトレーニングとＴＣＦは送信側から着信側へ画情報を送る前に電話回線の品質チェックを行なうものである。ＣＦＲは着信側から送信側へ当該電話回線で画情報を受けることができることを知らせる信号である。ＥＯＰは着信側から送信側へ画情報の送信が終了したことを知らせる信号である。ＭＣＦは着信側から送信側へ画情報を正常に受けたことを知らせる信号である。ＤＣＮは送信側から着信側へ回線をファクシミリ回線から電話回線に切り替えることを知らせる信号である。そして、前記ファクシミリ装置１０Ａは、ＩＴＵＴＴ．３７勧告に対応している。
前記ファクシミリ装置１０Ａの機能ブロック構成は、図１に示すように、文書や画像等が記載された原稿から前記文書や前記画像等を文書データＤａとして読み取る原稿画像読取部０１と、文書データＤａが記録された電子記録媒体から前記文書データＤａを読み取る文書ファイル入力部０２と、送信されてきた文書データＤａ等に基づいて文書や画像等を記録紙に印字出力する画像形成部０３と、当該ファクシミリ装置１０Ａへの各種の入力操作を行なう操作部０４と、当該ファクシミリ装置１０Ａの各種状態等を表示する表示部０５と、前記電話回線１０を介したデジタル識別信号や送信データの送受信処理等を行う通信処理部０６と、前記ＬＡＮ１１を介した所定のデータの送受信処理等を行うネットワークインターフェース０７と、前記各部の動作を制御して当該ファクシミリ装置１０Ａのファクシミリ機能等を制御する制御部０８を備えて構成されている。尚、前記制御部０８の回路構成は、各種プログラムを実行するＣＰＵと、制御データや送信データを一時的に記憶するＲＡＭと、前記各種プログラムや識別用データ等を格納したＲＯＭ等により構成されている。
【００１３】
前記原稿画像読取部０１は、当該ファクシミリ装置１０Ａにセットされた原稿を自動給送する自動原稿給送部、ＣＣＤ（Charge Coupled Device）ラインイメージセンサからなる撮像部及び画像処理部等を備え、撮像部が原稿面を相対的に走査するように原稿を自動給送して当該原稿をライン単位で画像信号に変換して取り込み、この画像信号に所定の信号処理（レベル補正、γ補正等）を施して順次、前記制御部０８に出力するように構成されている。
【００１４】
前記文書ファイル入力部０２は、ＣＤ、ＣＦカード、ＳＤメモリカード、またはＣＤ−Ｒ、ＤＶＤ等の可搬性の電子記録媒体に記憶された文書データＤａを読み取るための文書ファイル入力手段としてのメディアドライバによって構成されている。
【００１５】
前記画像形成部０３は、当該ファクシミリ装置１０Ａに送信されてきた文書データＤａや、前記原稿画像読取部０１で読み取られた文書データＤａ、前記文書ファイル入力部０２で読み取られた文書データＤａ等に基づいて文書や画像等を記録紙に印字出力するもので、画像形成手段としてのレーザプリンタ等によって構成されている。
前記表示部０５は、回線接続状態や送信状態等の各種状態及び送信画像等を表示するＬＣＤと、通信エラーの有無、設定モード、受信画質、メモリ受信及びメンテナンスの要否等を表示するＬＥＤとを備えて構成されている。
前記通信処理部０６は、送信する文書データＤａ等の圧縮及び符号化を行い画像情報に変換するとともに受信した画像情報の伸長及び復号化を行い文書データＤａ等とする符号化／復号化部１３と、圧縮／符号化された画像情報の音声信号への変調及び受信した信号（音声信号）の画像情報への復調を行なう変復調部１４と、ＮＣＵ（Network Control Unit）に相当し相手機との電話回線１１の接続を制御する網制御部１５を備えて構成されている。
【００１６】
前記制御部０８は、前記受信側ファクシミリ装置Ｆｒに設定される親展ボックスコードに基づいて前記親展文書データＤｓを送信する親展文書送信手段２２と、前記送信側ファクシミリ装置Ｆｔから送信されてくる前記親展文書データＤｓを管理する親展文書管理手段２１等を備えて構成されている。
【００１７】
前記親展文書送信手段２２は、前記受信側ファクシミリ装置Ｆｒに対して、前記親展ボックスコードまたは親展ボックスコードに対応するアドレス情報とそれらの何れかに対応付けられた受信者情報を含む受信者リストを要求する受信者リスト要求手段２３と、前記要求に応答して前記受信側ファクシミリ装置Ｆｒから返信された受信者リストに基づいて表示された受信者情報から送信先受信者を指定する受信者指定手段２４と、指定された受信者に対応する親展ボックスに親展文書データＤｓを送信する文書送信手段２５を備えて構成されている。尚、詳細は後述するが、前記受信者リスト要求手段２３は、前記受信側ファクシミリ装置Ｆｒに対して電子メールにより前記受信者リストを要求し、前記受信側ファクシミリ装置Ｆｒから電子メールで返信された前記受信者リストを受信する電子メール制御手段２３としても機能するように構成されている。また、前記アドレス情報が電子メールアドレスで構成されているときには、前記文書送信手段２５は、指定された受信者の電子メールアドレスに文書データＤａを電子メールで送信するように構成されている。
前記親展文書管理部２１は、前記各親展ボックスＢｘ１、Ｂｘ２、Ｂｘ３と、親展ボックスコードまたは親展ボックスコードに対応するアドレス情報とそれらの何れかに対応付けられた受信者情報を含む受信者リストを記憶する受信者リスト記憶手段２６と、前記送信側ファクシミリＦｔから送信された親展文書データＤｓを受信し前記受信者リストに基づいて対応する親展ボックスに格納する親展文書受信手段２７と、送信側ファクシミリ装置Ｆｔからの要求に基づいて前記受信者リストを返信する受信者リスト送信手段２８を備えて構成されている。
【００１８】
尚、前記受信者リスト記憶手段２６は、前記受信者リストとして、例えば、図６（ａ）に示すような、前記親展ボックスＢｘ１、Ｂｘ２、Ｂｘ３に対応して、親展ボックスコード、受信者名等の受信者情報及びＩＤコードが割り付けられたコード受信者リスト、または、図６（ｂ）に示すような、前記親展ボックスＢｘ１、Ｂｘ２、Ｂｘ３に対応して、親展ボックスコード、受信者名等の受信者情報及び電子メールアドレスが割り付けられたアドレス受信者リストの何れかが予め記憶されている。
【００１９】
以下、前記親展文書通信システムの動作について、図７のフローチャートに基づいて説明する。送信者により、送信側ファクシミリ装置Ｆｔに、前記操作部０４を介して受信側ファクシミリ装置Ｆｒの電話番号が入力されるとともに、文書データを親展文書として送信する旨の入力操作が行われると、前記電子メール制御手段２３としての前記受信者リスト要求手段２３は、予め登録されている前記入力された電話番号に対応した電子メールアドレスに、つまり、前記電話番号に対応した受信側ファクシミリ装置Ｆｒに対して、前記ネットワークインターフェース０７を介した電子メールにより、前記親展ボックスコードまたは親展ボックスコードに対応するアドレス情報とそれらの何れかに対応付けられた受信者情報を含む受信者リスト、つまり、前記コード受信者リストまたは前記アドレス受信者リストの送信要求を行う（ＳＡ１）。
【００２０】
前記受信側ファクシミリ装置Ｆｒは、前記ネットワークインターフェース０７を介した電子メールにより、前記送信側ファクシミリ装置Ｆｔから前記受信者リストの送信要求があると（ＳＢ１）、前記受信者リスト送信手段２８により、前記送信側ファクシミリ装置Ｆｔからの要求に基づいて前記受信者リストを、前記ネットワークインターフェース０７を介した電子メールにより返信する（ＳＢ２）。尚、このとき、前記受信者リスト記憶手段２６に、前記コード受信者リストが記憶されていたときには、前記コード受信者リストを、また、前記アドレス受信者リストが記憶されていたときには、前記アドレス受信者リストを電子メールにより返信する。また、電子メールにより返信される前記コード受信者リストは、前記ＩＤコードを削除した受信者リストとして返信されることが好ましい。不必要なＩＤコードの送受信を避けることで、ＩＤコードの漏洩発生の危険性を低下させることができる。
【００２１】
前記送信側ファクシミリ装置Ｆｔは、前記受信者リスト要求手段２３が、前記ネットワークインターフェース０７を介した電子メールにより前記受信者リストを受信すると（ＳＡ２）、前記受信者指定手段２４により、例えば、図８に示すように、前記受信者リストに基づいた受信者情報からなる受信者情報画面を前記表示部０５に表示する（ＳＡ３）。
【００２２】
前記表示部０５に表示された受信者情報に基づいて送信者により、前記操作部０４を介して送信先受信者の選択操作が行われると、前記受信者指定手段２４は、前記送信者による選択操作に基づいて送信先受信者を指定する（ＳＡ４）。
【００２３】
前記受信者指定手段２４により、送信先受信者が指定されると、当該制御部０８は、前記原稿画像読取部０１または前記文書ファイル入力部０２により文書データＤａを読み取る（ＳＡ５）。
【００２４】
そして、前記受信者リストが前記アドレス受信者リストであったときには（ＳＡ６）、前記文書送信手段２５により、前記指定された送信先受信者に対応する電子メールアドレスに、つまり、前記受信情報端末Ｐｒに、前記文書データＤａを電子メールで、つまり、親展文書データＤｓとして、前記ネットワークインターフェース０７を介して送信する（ＳＡ７）。
【００２５】
前記受信情報端末Ｐｒは、親展文書データＤｓとしての電子メールを受信すると（ＳＣ１）、前記受信した電子メールを記憶する（ＳＣ２）。そして、前記記憶された電子メールは、前記電子メールを閲覧可能な特定の受信者のみが扱うことができる。
【００２６】
一方、前記受信者リストが前記コード受信者リストであったときには（ＳＡ６）、前記文書送信手段２５により、前記読み取った文書データＤａに、前記指定された送信先受信者に対応する親展ボックスコードを付加した親展文書データＤｓを生成し（ＳＡ８）、前記送信者により操作入力された電話番号に基づいて受信側ファクシミリ装置Ｆｒに前記通信処理部０６を介して送信する（ＳＡ９）。
尚、前記親展ボックスコードは、例えば、前記ＮＳＳの信号期間内に付加することができる。
【００２７】
前記受信側ファクシミリ装置Ｆｒは、前記親展文書受信手段２７により前記親展文書データＤｓを受信すると（ＳＢ３）、同じく前記親展文書受信手段２７により前記親展文書データＤｓに付加されている親展ボックスコードと前記受信者リスト記憶手段２６に記憶されている受信者リストに基づいて、前記親展ボックスコードに対応する親展ボックスを特定し（ＳＢ４）、前記特定した親展ボックスに前記親展文書データＤｓを格納する（ＳＢ５）。
【００２８】
そして、特定の受信者により、前記受信側ファクシミリ装置Ｆｒにおける前記操作部０４を介して前記親展文書データＤｓが格納されている親展ボックスに対応したＩＤコードが入力操作されると（ＳＢ６）、前記親展文書データＤｓに基づいた文書が、前記画像形成部０３により印字出力される（ＳＢ７）。
【００２９】
つまり、前記親展文書通信システムでは、親展文書データとして文書データを送信する際に、送信側ファクシミリ装置において、受信側ファクシミリ装置に現在登録されている受信者リストの送信要求を実行し、前記送信要求に基づいて送信されてきた現在登録されている受信者リストを参照して送信先受信者を指定するため、受信側ファクシミリ装置で当初登録されていた受信者リストが変更されていても、変更後の新たな受信者リストを参照して文書データを送信することができるとともに、適切な送信先受信者が前記文書データを親展文書データとして入手することができる。
【００３０】
以下、別の実施形態について説明する。上述の実施形態では、前記受信者リスト要求手段２３が、前記受信側ファクシミリ装置Ｆｒに対して電子メールにより前記受信者リストを要求し、前記受信側ファクシミリ装置Ｆｒから電子メールで返信された前記受信者リストを受信する電子メール制御手段２３としても機能する構成について説明したが、前記受信者リスト要求手段２３は、前記通信処理部０６を介して前記受信者リストを送受信する構成としてもよい。尚、本構成においては、電子メールにより前記受信者リストを送受信する構成に比べ、前記受信者リストの送受信に費やす時間が長くなるため、前記受信者リスト要求手段２３が、予め設定された時刻に定期的に前記受信者リストを要求する構成とすれば、前記文書データを親展文書データとして送信する際に、前記受信者リストを要求する必要がなくなるため、前記受信者リストの送受信に費やす時間に対して煩わしさを感じることがなく、また、前記受信側ファクシミリ装置において予め登録されていた受信者リストが変更されても、変更後の新たな受信者リストを適切に参照することができるようになり好ましい。
上述した実施形態は、本発明の一例に過ぎず、各機能ブロックの具体的な構成は本発明の作用効果を奏する範囲において適宜変更設計できることはいうまでもない。
【図面の簡単な説明】
【００３１】
【図１】ファクシミリ装置の機能ブロック構成図
【図２】親展文書通信システムの概観構成の説明図
【図３】親展文書通信システムの概略の説明図
【図４】親展文書通信システムの概略の説明図
【図５】通信プロトコルの説明図
【図６】受信者リストの説明図であり、（ａ）はコード受信者リスト、（ｂ）はアドレス受信者リスト
【図７】親展文書通信システムの動作を説明するためのフローチャート
【図８】受信者情報画面の説明図
【符号の説明】
【００３２】
０１：原稿画像読取部
０２：文書ファイル入力部
０３：画像形成部
０４：操作部
０５：表示部
０６：通信処理部
０７：ネットワークインターフェース
０８：制御部
０９Ａ、０９Ｂ、０９Ｃ：情報端末装置
１０Ａ、１０Ｂ、１０Ｃ：ファクシミリ装置
１１：電話回線
１２：ＬＡＮ
２１：親展文書管理手段
２２：親展文書送信手段
２３：受信者リスト要求手段
２４：受信者指定手段
２５：文書送信手段
２６：受信者リスト記憶手段
２７：親展文書受信手段
２８：受信者リスト送信手段
【図１】
2007096906.tif 000003
【図５】
2007096906.tif 000004
【図６】
2007096906.tif 000005
【図７】
2007096906.tif 000006
【図８】
2007096906.tif 000007
【図２】
2007096906.tif 000008
【図３】
2007096906.tif 000009
【図４】
2007096906.tif 000010